(57)【特許請求の範囲】
【請求項１】
機能装置としての圧力センサーを取り付けることにより所定の圧力値を計測する電子時計において、電子時計のモジュールと、前記モジュールの時計を操作するための外部操作部材とを備え、前記電子時計の時計バンド取り付け方向である１２時方向と６時方向とを結ぶ線の方向に対して、３時方向側には前記外部操作部材を配置し、９時方向側には前記モジュールから突出して水圧等の圧力を感知する圧力センサーを配置するとともに、該圧力センサーを除いた前記９時方向側の位置には水分を感知して前記圧力センサーを動作させるための水感スイッチを配置したことを特徴とする電子時計の構造。
【請求項２】
前記モジュールは、電子部品を搭載した回路基板と、前記圧力センサーからの信号を前記回路基板へ導通するための端子シートと、前記水感スイッチと前記回路基板とを導通するためのバネ部材とを備えており、前記端子シートと前記バネ部材は、前記回路基板を挟んでほぼ同じ位置に載置したことを特徴とする請求項１に記載の電子時計の構造。
【発明の詳細な説明】
【０００１】
【発明の属する技術分野】
本発明は時計モジュ−ルから突出して設けた機能装置を備えた携帯用電子時計の配置構造に関し、特に、圧力センサ−等の機能装置を有するダイバ−時計に関するものである。
【０００２】
【従来の技術】
近年、センサ−等の機能装置を付加した機能時計の発展は目覚ましく、多くの分野で商品化がなされている。電子腕時計の分野でも例外ではなく、水中の圧力差を感知して水深計測を行なうダイバ−時計、又は同じ圧力差でも気圧を計測する高度計付き腕時計をはじめとしてセンサ−を利用する種々のものが商品化されている。しかし、センサ−を利用するためには、従来の時計部品とは全く異なる部品が必要となるとともに、センサ−による計測機能を阻害しないための配慮も必要となる。また電源である電池も腕時計という限られたスペ−スで大きさや容量の面で大きい制約を受けており、センサ−を駆動するための消費電流も最小限に絞り込まれている。
この中で特にダイバ−時計の水深計測を行なう為不可欠な圧力センサ−は、ダイバ−が携帯中に水感スイッチにより水分を感知するとＯＮされ、水深計測がスタ−トする構成となっている。いわば水感スイッチはダイバ−に代わって自動的に水深計測をスタ−トさせる重要なスイッチとなっており、水深計測機能時計には必要不可欠な付加機能となってきている。
【０００３】
このような状況下において、電子時計のさらなる小型化、機能性を高める為には、時計の効率の良い配置による小型化はもとより、小型の電源を採用するためのセンサ−の小型化、省力化も必要であり、関連する機能を果すセンサ−とスイッチを時計の同一方向に配し機能の応答性も配慮する必要がある。
【０００４】
次に携帯型電子時計のうち、特に水深計測機能付きダイバ−腕時計を例にとって従来の水感スイッチの配置構造について説明する。
従来腕時計の圧力センサー等の突出して設けた機能装置は、時計の外の環境デ−タの変化を測定しているため、時計ケ−スの外周部に開口している構成となっており、測定デ−タを時計モジュ−ルに送り、時計モジュ−ルから電源供給されるための導通部材で時計モジュ−ルと結合されている。
又、腕時計を腕に装着すると、時計の裏蓋側は腕に密着し、文字板側はガラスが装着されている。そのため機能装置を時計に取り付ける位置は時計の側面が一般的であるが、腕に装着するためのバンドが、通常時計の１２時方向と６時方向に取り付けられている。又、時計の外部操作部材である巻真やプッシュボタンは時計が腕に装着された場合でも操作可能な様に、時計の１２時と６時を結んだ線に対し３時方向側に取り付けられる事が一般的である。従って圧力センサ−や水感スイッチ等の突出して設けた機能装置を配置する位置としては９時方向側が圧倒的に多い。
【０００５】
【発明が解決しようとする課題】
水圧等の圧力を感知する圧力センサ−が、電子時計の３時方向に取り付けられた場合、突出している圧力センサ−部分が装着中に手首に当たってしまい、時計の携帯性を阻害してしまうという問題があり、又水分を感知して所定の機能を果たす水感スイッチが、電子時計の３時方向に取り付けられた場合、時計を腕に装着したまま、手を洗ったりすると、水が付着して水感スイッチが動作してしまったり、手首を曲げる等の動作により水感スイッチに肌が触れる事で水感スイッチが動作し、圧力センサ−のスイッチが入ってしまって電流消費が発生し、電池の寿命を縮めてしまう等の問題があった。
また、３時方向にセンサ−があるため、９時方向に巻真やプッシュボタンを配置すると、クロノグラフ操作等の携帯中の時計操作がやりにくいという操作性を阻害する等の問題があった。
本発明は上記の問題点を解決し、スイッチの誤動作を防止し、操作性のすぐれた電子時計を構成することを目的としている。
【０００６】
【課題を解決するための手段】
上記目的を達成するための本発明の構成は、圧力センサーを取り付けることにより所定の圧力値を計測する電子時計において、電子時計のモジュールと、前記モジュールの時計を操作するための外部操作部材とを備え、前記電子時計の時計バンド取り付け方向である１２時方向と６時方向とを結ぶ線の方向に対して、３時方向側には前記外部操作部材を配置し、９時方向側には前記モジュールから突出して水圧等の圧力を感知する圧力センサーを配置するとともに、該圧力センサーを除いた前記９時方向側の位置には水分を感知して前記圧力センサーを動作させるための水感スイッチを配置したことを特徴とする。
そして、前記モジュールは、前記圧力センサーからの信号を回路基板へ導通するための端子シートと、前記スイッチと前記回路基板とを導通するためのバネ部材は、回路基板を挟んでほぼ同じ位置に載置したことを特徴としている。
【０００７】
【発明の実施の形態】
図１は本発明の実施形態を示す時計の平面図である。図１において、時計ケ−ス２には１２時方向と６時方向に時計バンド（図示していない）を取り付けるバンド取付部２ａが構成されており、１２時と６時を結ぶ線に対して３時方向側には時計の外部操作部材であるリュ−ズ１７とそのリュ−ズ１７を挟むように同じく外部操作部材のプッシュボタン（ＰＢ）１８、１９が配置されている。９時方向側には水圧等の圧力を感知する圧力センサ−７とその圧力センサ−７を除いた位置に水分を感知して所定の機能を果たす水感スイッチ１が、図１の実施形態では１０時方向に配置されている。時計ケ−ス２には時計モジュール１１が収納され、中心に時間を示す時針１２、分針１３と水深計測時に水深を表示するための深度針９が配置されている。その中心の針を取り囲むように、時計の状態を示すモ−ド針１０、秒を表示する秒針１４、１日の時間を一回転で表示する２４時間針１６が、それぞれ独立した表示ダイヤルの中心に配置されている。１５は日付けを表示する日窓である。
【０００８】
図２は本発明の水感スイッチ部を示す断面図である。又、図３は本発明の圧力センサ−部を示す断面図である。又、図４は本発明の圧力センサ−部と水感スイッチ部を示す平面図である。以下図２、図３、図４を用いて本発明の時計モジュ−ルの構造を説明する。
図２において、金属部材からなる時計ケ−ス２の側面に植設されたパイプ２ｂは時計ケ−ス２とともに金属部材からなり、時計ケ−ス２と一体化されている。またそのパイプ２ｂの中心に防水パッキンとしての役割と、絶縁の役割を兼ね備えた絶縁チュ−ブ３を介して軸状金属部材である水感スイッチ１が植設されており、一端は時計ケ−ス２側面外側に露出し、もう一方の端部は時計ケ−スを貫通して時計モジュ−ル１１方向に伸びている。
時計モジュ−ル１１には詳述していないが、電子時計の心臓部であるｉｃ等の電子部品を実装した回路基板６と、その回路基板６のパタ−ンに導通しているバネ部材であるスイッチ接点５が構成され、スイッチ接点５の一端が水感スイッチ１の端部と導通している。この構成により水感スイッチ１は、時計モジュ−ル１１のひとつのスイッチ端子として時計ケ−スより外に露出したスイッチとして機能する。
【０００９】
時計を携帯していて時計本体が水分を感知すると、すなわち時計を水中に没すると、水感スイッチ１の端面と時計ケ−ス２が水滴により導通し、時計が水中に有る事を認識し、後述する圧力センサ−に電源供給を開始し、時計が水深計測モ−ドで有ることを表示するシステム構成となっている。
【００１０】
又、図３においては、時計ケ−ス２の側面に植設されたパイプ２ｃは時計ケ−ス２とともに金属部材からなり、時計ケ−ス２と一体化されている。またそのパイプ２ｃの中心に防水パッキンともに圧力センサ−７が植設されており、時計ケ−ス２側面に露出し、開口している。その圧力センサ−７の時計モジュ−ル１１方向にセンサ−シ−ト７ａが伸びている。又、時計モジュ−ル１１の構成部品のひとつである巻真スペ−サ−２５のボス２５ｂは、回路基板６の下面側でスイッチ接点５を位置決め載置し、更に回路基板６を通過し、回路基板６の上面側に突出してセンサ−シ−ト７ａを位置決め載置している。そのセンサ−シ−ト７ａのパタ−ンが回路基板６のパタ−ンと対面接触しネジ２０により圧接され導通している。つまり、センサ−シ−ト７ａとスイッチ接点５は、回路基板６を挟んでほぼ同じ位置に載置されている。この構成により時計の外の圧力、特に水圧の変化したときの情報を圧力センサ−７からセンサ−シ−ト７ａを介して、時計モジュ−ル１１に送ることが可能となっている。また時計モジュ−ル１１からの電源供給はセンサ−シ−ト７ａを介して行なわれている。時計を携帯して水中に潜水すると、時計にかかる水圧を感知し、圧力の変化量を水深として時計表示することが可能となっている。
【００１１】
又４図においては、水感スイッチ１からスイッチ接点５を介し、回路基板６の下面方向に導通するスイッチの導通経路と、圧力センサ−７からセンサ−シ−ト７ａを介し、回路基板の上面方向に導通するセンサ−の導通経路の平面方向の配置状態を示しており、回路基板６を挟んでほぼ同じ位置に載置されているスイッチ接点５とセンサ−シ−ト７ａが、巻真スペ−サ−２５のボス２５ｂにより位置決め載置され、ネジ２０により圧接固定されている。
【００１２】
次に時計の携帯中の機能表示動作を図１から図３により説明する。携帯者が時計を装着して水中に入ると、時計は水感スイッチ１と時計ケ−ス２とが水分を介して通電し水深計測準備状態になり、モ−ド針１０がダイビングモ−ドを差し示し、深度針９が時計の１２時位置に駆動され０ｍを表示する。同時に時計モジュ−ル１１より圧力センサ−７に駆動電流が流れて、水深計測可能状態となる。次に携帯者がダイビングを開始すると、圧力センサ−が水圧を測定し、時計と携帯者の潜っている深さを時計の深度針９が、瞬時に追従し表示する機能と成っている。水深計測のダイヤルは時計の計時位置をそのまま利用しており、２０ｍ潜水時は深度針９は分計測の２０分位置を指し示す。又、携帯者がダイビングを終了し時計が水から切り離されると、水感スイッチ１と時計ケ−ス２との導通が切れ、水深計測モ−ドがＯＦＦされ、時計は通常の時刻計測モ−ドに切り替わる構成となっている。
【００１３】
【発明の効果】
以上の説明で明らかなように、本発明によれば、電子時計の１２時と６時を結ぶ線に対して、３時方向側には外部操作部材を配置し、９時方向側にはモジュ−ルから突出して圧力センサ−を配置するとともに、該圧力センサ−を除いた位置には圧力センサ−を動作させるための水感スイッチを配置したことで、携帯時に手首曲げ動作等により、水感スイッチの誤作動等を防止し、圧力センサーと水感スイッチとを同方向に配置することで、付加機能の応答性を高め、電池の消費電力を軽減することができる。さらに、圧力センサ−と時計モジュ−ルとの導通部材である端子シ−トと、水感スイッチの接点バネを、回路基板を挟んでほぼ同じ位置に同一の位置決めピンにより載置したことで時計の小型、薄型化が図れる等実用上多大の効果がある。
【図面の簡単な説明】
【図１】本発明の１実施例を示す時計の平面図。
【図２】本発明の水感スイッチ部を示す断面図。
【図３】本発明の圧力センサ−部を示す断面図。
【図４】本発明の圧力センサ−部と水感スイッチ部を示す平面図。
【符号の説明】
１  水感スイッチ
２  時計ケ−ス
２ａ  バンド取付部
２ｂ、２ｃ  パイプ
３  絶縁チュ−ブ
４  裏蓋
５  スイッチ接点
６  回路基板
７  圧力センサ−
９  深度針
１０  モ−ド針
１１  時計モジュール
１２  時針
１３  分針
１４  秒針
１５  日窓
１６  ２４時間針
１７  リュ−ズ
１８、１９  プッシュボタン
２０、３０  ネジ
２５  巻真スペ−サ−
２５ａ、ｂ  ボス
【図１】
0003810549.tif 000002
【図２】
0003810549.tif 000003
【図３】
0003810549.tif 000004
【図４】
0003810549.tif 000005